(57)【要約】【課題】  鏡がミラーキャビネットから前方へ移動する洗面化粧台であっても、水栓ユニットの操作性が優れた洗面化粧台を提供する。【解決手段】  カウンター１１の後端面にバックガード１３が立ち上げられ、このバックガード１３の上部にはミラーキャビネット１４が設けられ、ミラーキャビネット１４には鏡１８が前後へ移動自在に収容され、バックガード１３の近傍には湯水を吐水する吐水部２３を備える水栓ユニットＢが装着された洗面化粧台Ａにおいて、前記鏡１８に水栓ユニットＢの吐水部２３が装着された。【選択図】  図１
2006158620.tif 000002
【特許請求の範囲】
【請求項１】
カウンターの後端面にバックガードが立ち上げられ、このバックガードの上部にはミラーキャビネットが設けられ、ミラーキャビネットには鏡が前後へ移動自在に収容され、バックガードの近傍には湯水を吐水する吐水部を備える水栓ユニットが装着された洗面化粧台において、前記鏡に水栓ユニットの吐水部が装着されたことを特徴とする洗面化粧台。
【請求項２】
前記水栓ユニットの吐水部は湯水が吐水されるシャワーヘッドを備えており、このシャワーヘッドは鏡に設けられたフックに対し着脱自在に装着されたことを特徴とする請求項１記載の洗面化粧台。
【請求項３】
前記シャワーヘッドは、湯水の吐水と止水とを行なう吐止水ボタンを備えたことを特徴とする請求項２に記載の洗面化粧台。
【発明の詳細な説明】
【技術分野】
【０００１】
この発明は、水栓ユニットが取り付けられる洗面化粧台に関するものである。
【背景技術】
【０００２】
洗面化粧台は、そのカウンターに洗面ボウルと水栓ユニットとが設けられており、通常は水栓ユニットを使用して手洗いや洗顔等を行なうが、カウンターの後部で起立しているミラーキャビネットに装着されている鏡を見ながら化粧や整髪等を行なう場合がある。この場合、洗面化粧台は通常鏡の前方にカウンターと洗面ボウルとが設けられているため、使用者が洗面化粧台の前で起立している状態では、鏡との間が大きく離れており、使用者は顔や頭を鏡の手前まで接近させないと、化粧や整髪をうまくできないものであった。そこで特許文献１及び２の洗面化粧台では、必要時には鏡をミラーキャビネットから前方に向けて移動できるようにすることで、化粧や整髪等を行なう場合は鏡が使用者に接近できるようにしていた。
【０００３】
【特許文献１】実開昭６２−１６６７４６号公報
【特許文献２】特開平１１−２４４１６６号公報
【発明の開示】
【発明が解決しようとする課題】
【０００４】
この特許文献１の洗面化粧台では、カウンターの上部で鏡の下に水栓ユニットが設けられている。従って鏡がミラーキャビネットから前方へ移動した状態では、水栓ユニットは鏡の下側に隠れてしまう。このような状態では、洗面ボウルと鏡との間の空間に手を入れて水栓ユニットのハンドルを操作したり、水栓ユニットの吐水口から吐水される湯水を利用する必要があり、操作性の悪いものであった。
【０００５】
また、特許文献２の洗面化粧台では、カウンターの右側又は左側の隅に水栓ユニットを取り付けることで、鏡が前方へ移動しても水栓ユニットは鏡の位置に影響されることなく、ハンドルを操作したり湯水を吐水できるようにしている。しかしながら水栓ユニットはカウンターの中央ではなく一方の隅に取り付けられているため、通常の操作時に使用者は体を横に向ける必要があり、操作性の悪いものであった。
【０００６】
この発明は、このような従来の技術に存在する問題点に着目してなされたものであり、その目的は、鏡がミラーキャビネットから前方へ移動する洗面化粧台であっても、水栓ユニットの操作性が優れた洗面化粧台を提供することである。
【課題を解決するための手段】
【０００７】
上記目的を達成するため、請求項１記載の発明では、カウンターの後端面にバックガードが立ち上げられ、このバックガードの上部にはミラーキャビネットが設けられ、ミラーキャビネットには鏡が前後へ移動自在に収容され、バックガードの近傍には湯水を吐水する吐水部を備える水栓ユニットが装着された洗面化粧台において、前記鏡に水栓ユニットの吐水部が装着されたものである。
【０００８】
請求項２に記載の発明では請求項１記載の洗面化粧台において、前記水栓ユニットの吐水部は湯水が吐水されるシャワーヘッドを備えており、このシャワーヘッドは鏡に設けられたフックに対し着脱自在に装着されたものである。
【０００９】
請求項３に記載の発明では請求項２記載の洗面化粧台において、前記シャワーヘッドは、湯水の吐水と止水とを行なう吐止水ボタンを備えたものである。
【発明の効果】
【００１０】
本発明の請求項１記載の発明では、水栓ユニットはその吐水部が鏡と共に前後に移動するため、使用者が操作に適した位置に吐水部を接近させることができ、その操作性が向上する。
【００１１】
請求項２に記載の発明では、湯水が吐水されるシャワーヘッドが鏡に形成された水栓ユニットの吐水部は鏡に設けられたフックに支持されており、シャワーヘッドのフックからの取り出しを鏡が前方へ移動した状態で行なうことができるので、その操作性がさらに向上する。
【００１２】
請求項３に記載の発明では、シャワーヘッドからの湯水の吐水，止水の操作を鏡が前方に移動した状態で行なうことができ、吐水，止水を交互に行なう場合の操作性が大幅に向上する。
【発明を実施するための最良の形態】
【００１３】
以下、本発明の実施例を図に基づいて詳細に説明する。
【実施例１】
【００１４】
図１は、水栓ユニットＢが装着された洗面化粧台Ａの斜視図である。洗面化粧台Ａは室内で床から立ち上がる壁Ｃに対しその背面を密着させた状態で据え付けられ、洗面キャビネット１０と、この洗面キャビネット１０の上部に設けられたカウンター１１と、カウンター１１の略中央に配置された洗面ボウル１２と、カウンター１１の後端部から立ち上げられたバックガード１３と、バックガード１３の上部に設けられたミラーキャビネット１４と、ミラーキャビネット１４に収納された鏡１８とを備え、水栓ユニットＢはバックガード１３の近傍に装着されている。
【００１５】
洗面キャビネット１０はその正面側に開閉自在の扉１０ａが一対設けられており、内部には洗剤や清掃道具などの洗面用品が収納される一定の収納空間が設けられた略箱状に形成されている。
【００１６】
カウンター１１は洗面キャビネット１０の上部に設けられ、その上部を覆うように平板状に形成され、略中央には開口部１１ａが形成されており、この開口部１１ａはカウンター１１の大部分を占める大きさで、洗面ボウル１２が収納される。
【００１７】
洗面ボウル１２は横長で、カウンター１１の開口部１１ａに収納され、水栓ユニットＢから吐水される湯水が供給されるものである。洗面ボウル１２の略中央で最下部には、水栓ユニットＢから供給される湯水を排水するための排水口１２ａを有している。
【００１８】
バックガード１３はカウンター１１の後端部全面から垂直方向に立ち上げられ、その中央より右よりには、水栓ユニットＢの本体部２０が装着される。
【００１９】
ミラーキャビネット１４はバックガード１３の上部で、バックガード１３から前方に突き出るように設けられ、その横幅がカウンター１１及びバックガード１３と略同一であり、左右両側には化粧品、整髪具等の小物が収納される小物入れ１５を有し、両小物入れ１５の間の左右中間部でボウル１２と前後に向かい合う位置に収納部１６が形成され、この収納部１６は鏡１８の外形と略同一形状である。鏡１８は横長の箱型形状で、ミラーキャビネット１４から前後へ移動自在に装着されている。
【００２０】
水栓ユニットＢは、洗面化粧台Ａのバックガード１３と鏡１８とにわたって装着される。水栓ユニットＢはバックガード１３に固定される本体部２０と、鏡１８に装着される吐水部２３と、本体部２０と吐水部２３とを連通させるホース３０とを備えている。水栓ユニットＢの本体部２０は、バックガード１３の裏側の空間部で給水管及び給湯管（図示省略）が接続されており、内部には両管から供給された水と湯とが混合される混合弁２１が収容され、混合弁２１は操作手段であるレバー２２と連繋し、レバー２２の操作でホース３０へ供給される湯水の温度と流量とが調節される。ホース３０はバックガード１３の裏側の空間部にＵ字状に垂れ下がった状態で収容されており、混合弁２１で調節された湯水は、ホース３０により吐水部２３に供給される。
【００２１】
前記洗面化粧台Ａのミラーキャビネット１４は図２に示すように、収納部１６内周側には、上下及び左右の四隅に互いの間隔を設けて４本のレール溝１７が正面側から背面側に向けて水平方向に形成され、鏡１８の左右両側部にはレール溝１７と前後に向かい合う位置で、上下及び左右へ互いに間隔を設けて４本のレール１９が水平方向に設けられている。従って鏡１８を手で持ち、ミラーキャビネット１４の収納部１６から前方へ引き出すと、鏡１８のレール１９が収納部１６のレール溝１７に沿って水平方向へ移動し、鏡１８はミラーキャビネット１４より前方へ移動するものである。なお、この場合、水栓ユニットＢの本体部２０はバックガード１３の側部付近で鏡１８とは上下に向かい合わない位置に固定されているため、鏡１８が前方へ移動してもレバー２２を備えた本体部２０が鏡１８により隠れることはない。
【００２２】
図３に示すように、前記水栓ユニットＢの吐水部２３は鏡１８の底面部に装着されている。この吐水部２３はバックガード１３に固定される支持部材２４と、支持部材２４に対し引き出し自在に支持されるアダプター２５と、アダプター２５に対し引き出し自在に支持されるシャワーヘッド２７とを備えている。そして、シャワーヘッド２７は支持部材２４及びアダプター２５の内部で前記ホース３０が接続されており、図４に示すように、アダプター２５からホース３０と共に引き出して使用することができる。また、シャワーヘッド２７はその先端で正面には湯水の吐水，止水を切り替える吐止水ボタン２８が設けられ、先端の下部には湯水が吐水される吐水口２９が設けられており、前記本体部２０のレバー２２の操作により湯水を吐水方向に操作した状態で、この吐止水ボタン２８を操作すれば、本体部２０で調節された湯水の吐水と止水とを交互に切り替えることができる。なお、前記アダプター２５は鏡１８の底面部に設けられたフック２６に取り付けられており、そのためシャワーヘッド２７はフック２６に対して引き出し自在となる。
【００２３】
本実施例の洗面化粧台Ａにおいて、水栓ユニットＢの本体部２０でレバー２２を操作して湯水の流量及び温度を調節すると、湯水は混合弁２１で調節されてホース３０を介して吐水部２３に供給され、フック２６に支持されたシャワーヘッド２７から洗面ボウル１２に向けて湯水が吐水される。
【００２４】
本実施例の洗面化粧台では、水栓ユニットの吐水部が鏡に装着されている。そして洗面化粧台で化粧や整髪などを行なう場合に、鏡を手に持ちミラーキャビネットから前方へ移動させると、鏡に装着された吐水部も共に移動する。従って、鏡を移動させる場合は化粧や整髪等で水栓ユニットを利用する場合が多いが、鏡と共に鏡に設けられたフックに支持されたシャワーヘッドを使用者が使いやすい位置に接近させることができるため、その操作性を向上させることができる。また鏡を移動させた状態で、フックからシャワーヘッドを引き出すことができるので、操作性が一層向上する。さらに、シャワーヘッドには吐水，止水を切り替える吐止水ボタンが設けられているので、シャワーヘッドからの湯水の吐水，止水の操作を鏡が前方に移動した状態で行なうことができ、吐水，止水を交互に行う場合の操作性を大幅に向上させることができる。
【実施例２】
【００２５】
図５乃至図７は本発明の第２の実施例である。この第２の実施例の洗面化粧台では、水栓ユニットＢは、バックガード１３の前方にホース３０を露出させている点で第１の実施例と異なる。なお、前述した第１の実施例と同一の構成については同一符号を付し、その詳細な説明を省略する。
【００２６】
この実施例の洗面化粧台Ａでは、水栓ユニットＢの本体部２０ａにエルボ３１が設けられている。このエルボ３１はバックガード１３に固定され、その先端にはバックガード１３の前方に露出した状態でホース３０の一端が接続されている。また、ミラーキャビネット１４の鏡１８には水栓ユニットＢの吐水部２３ａが装着されている。この吐水部２３ａは、鏡１８の底面部に設けられたフック２６に対し引き出し自在に支持されるシャワーヘッド２７であり、ホース３０の他端が接続されている。なお、この実施例では水栓ユニットＢの吐水部２３ａは鏡１８のみに装着され、バックガード１３には固定されない。
【００２７】
本実施例の洗面化粧台においても、水栓ユニットの吐水部が鏡に装着されている。そして、鏡をミラーキャビネットから前方へ移動させると、鏡に装着された吐水部も共に移動するため、フックに支持されたシャワーヘッドを使用者が使いやすい位置に接近させることができ、その操作性を向上させることができる。
【図面の簡単な説明】
【００２８】
【図１】本発明の洗面化粧台の斜視図である。
【図２】図１の洗面化粧台において、鏡をミラーキャビネットから引き出した状態の説明図である。
【図３】水栓ユニットの吐水部が鏡に装着された状態の断面図である。
【図４】図２の洗面化粧台において、シャワーヘッドをフックから引き出した状態の説明図である。
【図５】本発明の別の実施例における洗面化粧台の斜視図である。
【図６】図５の洗面化粧台において、鏡をミラーキャビネットから引き出した状態の説明図である。
【図７】水栓ユニットの吐水部が鏡に装着された状態の断面図である。
【符号の説明】
【００２９】
１１        ：カウンター
１３        ：バックガード
１４        ：ミラーキャビネット
１８        ：鏡
２３，２３ａ：吐水部
２６        ：フック
２７        ：シャワーヘッド
２８        ：吐止水ボタン
Ａ          ：洗面化粧台
Ｂ          ：水栓ユニット
【図１】
2006158620.tif 000003
【図２】
2006158620.tif 000004
【図３】
2006158620.tif 000005
【図４】
2006158620.tif 000006
【図５】
2006158620.tif 000007
【図６】
2006158620.tif 000008
【図７】
2006158620.tif 000009